(57)【特許請求の範囲】
【請求項１】
物体側から順に、第１レンズ群と、第２レンズ群と、第３レンズ群と、第４のレンズ群と、を有し、各レンズ群はゲルマニウムで形成され、かつ各レンズ群の少なくとも一つのレンズ群は単レンズで構成され、
前記第１レンズ群は正の屈折力、前記第２レンズ群は負の屈折力、前記第３レンズ群は正の屈折力、前記第４レンズ群は正の屈折力を有し、
以下条件式を満たし、
条件式（１）０．８ ≦ ｆ１／ｆｔ ≦ １．７
但し、望遠端の焦点距離をｆｔ、第１レンズ1群の焦点距離をｆ１とする。
条件式（２）−０．７ ≦ ｆ２／ｆｔ ≦ −０．１
但し、望遠端の焦点距離をｆｔ、第２レンズ群の焦点距離をｆ２とする。
条件式（３）１．８ ≦ ｆ３／ｆｗ ≦ ４
但し、広角端の焦点距離をｆｗ、第３レンズ群の焦点距離をｆ３とする。
さらに、変倍時に第１レンズ群と第３レンズ群は固定され、第２レンズ群および第４レンズ群は移動することを特徴とする赤外線ズームレンズ。
【請求項２】
請求項１に記載の赤外線ズームレンズであって、第４レンズ群でフォーカシングを行うことを特徴とする赤外線ズームレンズ。
【請求項３】
請求項１又は２に記載の赤外線ズームレンズであって、第１レンズ群が、物体側に凸面を向けたメニスカスレンズであることを特徴とする赤外線レンズ。
【請求項４】
請求項１から３のうちの一項に記載の赤外線レンズであって、第２レンズ群の被写体側レンズの像面側の面が像面側に凹面であることを特徴とする赤外線レンズ。
【請求項５】
請求項１から４のうちの一項に記載の赤外線ズームレンズであって、第１レンズ群が非球面を含むことを特徴とする赤外線ズームレンズ。
【請求項６】
請求項１から５のうちの一項に記載の赤外線ズームレンズであって、第２レンズ群が非球面を含むことを特徴とする赤外線ズームレンズ。
【請求項７】
請求項１から６のうちの一項に記載の赤外線ズームレンズであって、第３レンズ群が非球面を含むことを特徴とする赤外線ズームレンズ。
【請求項８】
請求項１から７のうちの一項に記載の赤外線ズームレンズであって、第４レンズ群が非球面を含むことを特徴とする赤外線ズームレンズ。
【発明の詳細な説明】
【技術分野】
【０００１】
本発明は、収差補正が優れ、製造コストの低い赤外線ズームレンズに関する。
【背景技術】
【０００２】
従来の赤外線ズームレンズとして、断熱化された赤外線ズームレンズであって、レンズ素子は被写体の方向から焦点へ前記光軸に沿って順に配置された第１のレンズ素子と、第２のレンズ素子と、第３のレンズ素子とを具備し、第１のレンズ素子(12)は第１の表面と、前記第１の表面とは反対側の第２の表面を備え正の倍率を有しており、第２のレンズ素子は第１の表面と、前記第１の表面とは反対側の第２の表面を備え、負の倍率を有しており、第３のレンズ素子は第１の表面を有しており、前記第１の表面とは反対側に第２の表面を備え、正の倍率を有しており、第１および第３のレンズ素子は第１の材料で構成され、前記第２のレンズ素子を構成している第２の材料とは異なる材料であり、前記第１の材料の温度変化に対する屈折率の変化（ｄｎ／ｄＴ）は予め定められた量だけ前記第２の材料の温度変化に対する屈折率の変化より少なく、前記第１のレンズ素子の前記第２の表面および第３のレンズ素子の前記第２の表面の少なくとも１つは回折表面である構成が提案されている（例えば、特許文献１参照）。
【０００３】
従来の他の赤外線ズームレンズとして、被写体側から順に、第１ないし第３レンズ群を備え、ズーミング時に前記第１及び第３レンズ群が固定された状態で、前記第２レンズ群が移動され、前記第１ないし第３レンズ群はそれぞれ、硫化亜鉛により形成された少なくとも１つのレンズを有する構成が提案されている（例えば、特許文献２参照）。
【０００４】
従来の他の赤外線ズームレンズとして、３〜５μｍまたは８〜１２μｍの波長帯の赤外線用光学系に用いられる赤外線ズームレンズであって、１枚または２枚のレンズで構成される正の屈折力を有する第１レンズ群、１枚または２枚のレンズで構成される負の屈折力を有する第２レンズ群、物体側に凹面を向けた１枚の負のメニスカスレンズからなる第３レンズ群、１枚の凸レンズからなる第４レンズ群、および、少なくとも４枚のレンズで構成されるとともに像面側の最終レンズが物体側に凸面を向けた正のメニスカスレンズからなる正の屈折力を有する第５レンズ群が、物体側からこの順で配設されてなり、ズーミング時、前記第１、第４および第５レンズ群は固定とされる一方、前記第２および第３レンズ群は可動とされ、前記第２レンズ群を光軸方向に移動させることにより変倍を行うとともに、前記第３レンズ群を光軸方向に移動させることにより結像位置の補正を行うように構成され、下記条件式（１）〜（３）を満足する構成のもが提案されている。
１．００＜ｆ1／ｆt     （１）
ｆ2／ｆt＜−０．４０   （２）
０．３５＜ｆ5／ｆt＜ ０．７０ （３）
ただし、 ｆt ： 望遠端における全系の焦点距離 ｆ1 ： 第１レンズ群の焦点距離 ｆ2 ： 第２レンズ群の焦点距離 ｆ5 ： 第５レンズ群の焦点距離である。
【先行技術文献】
【特許文献】
【０００５】
【特許文献１】特開２００５−５２１９１８号公報
【特許文献２】特開２００７−２６４６４９号公報
【特許文献３】特許第３３６５６０６号公報
【発明の概要】
【発明が解決しようとする課題】
【０００６】
特許文献１の構成においては、第１および第３のレンズ素子が第１の材料で構成されているため、レンズ材料の保管等が単純で管理し易いが、収差補正が困難であるという重大な問題がある。また、特許文献１の構成は、焦点機構が固定であり、すなわち合焦機能を有せず、使い勝手が悪い。
【０００７】
特許文献２の構成においては、全てのレンズ材料に硫化亜鉛を用いているが、硫化亜鉛は、成形や研磨の加工が困難である問題がある。また、実施例では、硫化亜鉛とゲルマニウムとを組み合わせて使用している。硫化亜鉛は低屈折率（約２．２）で、収差補正が困難であり、赤外線の吸収がGeに比べて大きいという問題がる。
【０００８】
特許文献３の構成においては、９枚〜１２枚のレンズを使用しているため、製造コストが高く、またレンズによる赤外線の吸収が多く、暗い映像となるという問題がある。さらに、レンズ枚数が多いため、鏡筒構造が複雑になるという問題がある。
【０００９】
（発明の目的）
本発明は、従来の赤外線ズームレンズに上述した問題点に鑑みてなされたものであって、ゲルマニウムのみからなり、変倍時の明るさの変動が少なく明るい光学系を構成することができ、収差を容易に補正して鮮明な画像を形成できる赤外線ズームレンズを提供することを目的とする。
【００１０】
本発明はまた、レンズ枚数が少なく鏡筒が簡易構造で軽量に形成でき、さらに、赤外線の吸収が少なく明るい画像を形成できる赤外線ズームレンズを提供することを目的とする。
【００１１】
本発明は、さらに、視野やズーム域全体で収差を良好に補正した赤外線ズームレンズを提供することを目的とする。
【課題を解決するための手段】
【００１２】
本発明は、物体側から順に、第１レンズ群と、第２レンズ群と、第３レンズ群と、第４のレンズ群と、を有し、各レンズ群はゲルマニウムで形成され、かつ各レンズ群の少なくともレンズ１群は単レンズで構成されていることを特徴とする赤外線ズームレンズである。
【発明の効果】
【００１３】
本発明によれば、ゲルマニウムのみからなり、変倍時の明るさの変動が少なく明るい光学系を構成することができ、収差を容易に補正して鮮明な画像を形成できる効果を得ることができる。
【００１４】
本発明によれば、レンズ枚数が少なく鏡筒が簡易構造で軽量に形成でき、さらに、赤外線の吸収が少なく明るい画像を形成できる効果を得ることができる。
【００１５】
本発明によれば、さらに、視野全域及びズーム全域において収差を良好に補正する効果を得ることができる。
【００１６】
本発明の実施形態は、以下の通りである。
前記第１レンズ群は正の屈折力、前記第２レンズ群は負の屈折力、前記第３レンズ群は正の屈折力、前記第４レンズ群は正の屈折力を有することを特徴とする。
この実施形態によれば、ズーム全域で収差変動が少ないズームレンズを構成できるという効果を得ることができる。
【００１７】
他の実施形態は、以下条件式を満たすようにしたことを特徴とする。
条件式（１）０．８ ≦ ｆ１／ｆｔ ≦ １．７
但し、望遠端の焦点距離をｆｔ、第１レンズ1群の焦点距離をｆ１とする。
条件式（１）は、全長の増大回避と収差補正を両立させている。条件式(1)の下限を超えると、第一レンズ群の屈折力が大きいため、望遠側での球面収差が大きくなってしまう。逆に、上限を超えると、第一レンズ群の屈折力が小さく全長が増大するという問題が発生する。
【００１８】
他の実施形態は、以下条件式を満たすようにしたことを特徴とする。
条件式（２）−０．７ ≦ ｆ２／ｆｔ ≦ −０．１
但し、望遠端の焦点距離をｆｔ、第２レンズ群の焦点距離をｆ２とする。
条件式（２）は、変倍の際の収差変動や像面湾曲の増大を抑えることができる。条件式（２）の上限を超えると、第２レンズ群の屈折力が小さく、像面湾曲を補正しきれなくなる。条件式（２）の下限を超えると、第２レンズ群の屈折力が大きく、変倍の際に収差変動が大きくなってしまうという問題が生じる。
【００１９】
他の実施形態は、以下条件式を満たすようにしたことを特徴とする。
条件式（３）１．８ ≦ ｆ３／ｆｗ ≦ ４
但し、広角端の焦点距離をｆｗ、第３レンズ群の焦点距離をｆ３とする。
条件式（３）は、球面収差補正を良好に行うための条件である。条件式（３）の上限を超えると、球面収差補正不足となるほか全長の増大を招く。条件式（３）の下限を超えると、広角側での球面収差を過剰に補正してしまうという問題が生じる。
【００２０】
他の実施形態は、変倍時に第１レンズ群と第３レンズ群は固定され、第２レンズ群および第４レンズ群は移動することを特徴とする。
この実施形態によれば、ズーム全域で特に像面湾曲収差の変動が少ないズームレンズを構成できるという効果を得ることができる。
【００２１】
他の実施形態は、第４レンズ群でフォーカシングを行うことを特徴とする。
この実施形態によれば、フォーカシングの際の収差変動が少ないという効果を得ることができる。
【００２２】
他の実施形態は、第１レンズ群が、物体側に凸面を向けたメニスカスレンズであることを特徴とする。
この実施形態によれば、球面収差及び歪曲収差を適切に補正することが容易になるという効果を得ることができる。
【００２３】
他の実施形態は、第２レンズ群の被写体側レンズの像面側の面が像面側に凹面であることを特徴とする。
この実施形態によれば、像面湾曲の補正が容易になるという効果を得ることができる。
【００２４】
他の実施形態は、第１レンズ群が非球面を含むことを特徴とする。
この実施形態によれば、広角側の歪曲収差、望遠側の球面収差の補正が容易になる。
【００２５】
他の実施形態は、第２レンズ群が非球面を含むことを特徴とする。
この実施形態によれば、変倍による収差変動の抑制や像面湾曲の補正が容易になる効果を得ることができる。
【００２６】
他の実施形態は、第３レンズ群が非球面を含むことを特徴とする。
この実施形態によれば、広角側の球面収差補正に効果を発揮し、明るい光学系を構成することが可能となる。
【００２７】
他の実施形態は、第４レンズ群が非球面を含むことを特徴とする。
この実施形態によれば、像面湾曲及び非点収差の補正を容易にし、またフォーカスの際の収差変動を抑制する効果も得ることができる。
【００２８】
実施形態の赤外線ズームレンズの広角時及び望遠時の状態を示す光学図において、広角端と望遠端の各レンズ群側の配置と、中心及び最大画角の光線を示す。
【図面の簡単な説明】
【００２９】
【図１】本発明の第１実施形態の赤外線ズームレンズの広角時及び望遠時の状態を示す光学図である。
【図２】本発明の第１実施形態の赤外線ズームレンズの広角時の球面収差図、非点収差図、歪曲収差図である。
【図３】本発明の第１実施形態の赤外線ズームレンズの望遠時の球面収差図、非点収差図、歪曲収差図である。
【図４】本発明の第２実施形態の赤外線ズームレンズの広角時及び望遠時の状態を示す光学図である。
【図５】本発明の第２実施形態の赤外線ズームレンズの広角時の球面収差図、非点収差図、歪曲収差図である。
【図６】本発明の第２実施形態の赤外線ズームレンズの望遠時の球面収差図、非点収差図、歪曲収差図である。
【図７】本発明の第３実施形態の赤外線ズームレンズの広角時及び望遠時の状態を示す光学図である。
【図８】本発明の第３実施形態の赤外線ズームレンズの広角時の球面収差図、非点収差図、歪曲収差図である。
【図９】本発明の第３実施形態の赤外線ズームレンズの望遠時の球面収差図、非点収差図、歪曲収差図である。
【図１０】本発明の第４実施形態の赤外線ズームレンズの広角時及び望遠時の状態を示す光学図である。
【図１１】本発明の第４実施形態の赤外線ズームレンズの広角時の球面収差図、非点収差図、歪曲収差図である。
【図１２】本発明の第４実施形態の赤外線ズームレンズの望遠時の球面収差図、非点収差図、歪曲収差図である。
【図１３】本発明の第５実施形態の赤外線ズームレンズの広角時及び望遠時の状態を示す光学図である。
【図１４】本発明の第５実施形態の赤外線ズームレンズの広角時の球面収差図、非点収差図、歪曲収差図である。
【図１５】本発明の第５実施形態の赤外線ズームレンズの望遠時の球面収差図、非点収差図、歪曲収差図である。
【図１６】本発明の第６実施形態の赤外線ズームレンズの広角時及び望遠時の状態を示す光学図である。
【図１７】本発明の第６実施形態の赤外線ズームレンズの広角時の球面収差図、非点収差図、歪曲収差図である。
【図１８】本発明の第６実施形態の赤外線ズームレンズの望遠時の球面収差図、非点収差図、歪曲収差図である。
【図１９】本発明の第７実施形態の赤外線ズームレンズの広角時及び望遠時の状態を示す光学図である。
【図２０】本発明の第７実施形態の赤外線ズームレンズの広角時の球面収差図、非点収差図、歪曲収差図である。
【図２１】本発明の第７実施形態の赤外線ズームレンズの望遠時の球面収差図、非点収差図、歪曲収差図である。
【図２２】本発明の第８実施形態の赤外線ズームレンズの広角時及び望遠時の状態を示す光学図である。
【図２３】本発明の第８実施形態の赤外線ズームレンズの広角時の球面収差図、非点収差図、歪曲収差図である。
【図２４】本発明の第８実施形態の赤外線ズームレンズの望遠時の球面収差図、非点収差図、歪曲収差図である。
【発明を実施するための形態】
【００３０】
（第１実施形態）
第１実施形態のレンズデータ等は以下の通りである。
面番号       R           D         GLASS
1          81.0000     5.0000     GERMANIUM
2 ASPH    168.0078     D( 2)
3 ASPH   -101.6133     2.0000     GERMANIUM
4 ASPH     67.9744     D( 4)
5 STOP     37.8944     3.0000     GERMANIUM
6 ASPH     51.6729     D( 6)
7          49.0000     3.0000     GERMANIUM
8 ASPH    168.5145     D( 8)
9           0.0000     1.0000     GERMANIUM
10           0.0000     D(10)
【００３１】
焦点距離の変動に伴いレンズ間隔が変動する箇所は、Ｄ(i)と表す。
【００３２】
面番号の後のASPH印を付した面は、非球面である。非球面形状を表す式は、光軸に垂直な高さをH、面頂を原点としたときの高さHにおける光軸方向の変位量をX(H)、近軸曲率半径をR、円錐係数をε、2次の非球面係数A，4次の非球面係数B，6次の非球面係数C，8次の非球面係数D，10次の非球面係数Eとしたとき、次の式で表される。
0005467896.tif 000002
【００３３】
非球面データ
0005467896.tif 000003
【００３４】
焦点距離
広角                              望遠
14.03                            40.00
【００３５】
ズーム作動のレンズ群間隔
広角                      望遠
D( 2)   11.174                    25.900
D( 4)   27.361                    12.635
D( 6)   18.252                    18.250
D( 8)    1.568                    1.570
D(10)   17.997                    17.997
【００３６】
（第２実施形態）
第２実施形態のレンズデータ等は以下の通りである。
面番号       R           D         GLASS
1         217.4855     9.0000     GERMANIUM
2 ASPH    418.5663     D( 2)
3 ASPH   -240.7084     4.5000     GERMANIUM
4 ASPH    430.2428     D( 4)
5 STOP     67.8117     7.0000     GERMANIUM
6 ASPH     92.1746     D( 6)
7          37.8153     5.0000     GERMANIUM
8 ASPH     44.8231     D( 8)
9           0.0000     1.0000     GERMANIUM
10           0.0000     D(10)
【００３７】
非球面データ
0005467896.tif 000004
【００３８】
焦点距離
広角                              望遠
35.01                             100.00
【００３９】
ズーム作動のレンズ群間隔
広角                        望遠
D( 2)   12.500                      65.536
D( 4)   63.036                      10.000
D( 6)   51.580                      54.574
D( 8)    8.8190                     5.8248
D(10)   18.000                      18.000
【００４０】
（第３実施形態）
第３実施形態のレンズデータ等は以下の通りである。
面番号        R           D         GLASS
1          81.0000     5.0000     GERMANIUM
2         146.8796     D( 2)
3 ASPH   -116.9334     2.0000     GERMANIUM
4 ASPH     83.5380     D( 4)
5 STOP     29.9322     3.0000     GERMANIUM
6 ASPH     35.9505     D( 6)
7          49.0000     3.0000     GERMANIUM
8 ASPH    157.5165     D( 8)
9           0.0000     1.0000     GERMANIUM
10           0.0000     D(10)
【００４１】
非球面データ
0005467896.tif 000005
【００４２】
焦点距離
広角                      望遠
14.08                     39.99
【００４３】
ズーム作動のレンズ群間隔
広角                望遠
D( 2)   10.706              28.286
D( 4)   31.224              13.645
D( 6)   15.628              15.623
D( 8)    1.411              1.416
D(10)   17.996              17.996
【００４４】
（第４実施形態）
第４実施形態のレンズデータ等は以下の通りである。
面番号       R           D         GLASS
1 ASPH    104.8085     6.0000     GERMANIUM
2 ASPH    226.6959     D( 2)
3 ASPH   -367.6765     3.0000     GERMANIUM
4 ASPH     76.9632     D( 4)
5 STOP     34.4767     4.0000     GERMANIUM
6 ASPH     41.0586     D( 6)
7 ASPH     75.9689     3.0000     GERMANIUM
8 ASPH   4791.8361     D( 8)
9           0.0000     1.0000     GERMANIUM
10           0.0000     D(10)
【００４５】
非球面データ
0005467896.tif 000006
【００４６】
焦点距離
広角                    望遠
14.04                   39.99
【００４７】
ズーム作動のレンズ群間隔
広角              望遠
D( 2)   7.301             28.696
D( 4)  43.869             22.483
D( 6)  17.313             18.399
D( 8)   2.085             0.999
D(10)  18.000             18.000
【００４８】
（第５実施形態）
第５実施形態のレンズデータ等は以下の通りである。
面番号       R           D         GLASS
1          81.0000     5.0000     GERMANIUM
2 ASPH    206.6764     D( 2)
3 ASPH   -121.4551     2.0000     GERMANIUM
4 ASPH     55.3578     D( 4)
5 STOP     25.9574     3.0000     GERMANIUM
6 ASPH     32.1012     D( 6)
7          49.0000     3.0000     GERMANIUM
8 ASPH    130.7745     D( 8)
9           0.0000     1.0000     GERMANIUM
10           0.0000     D(10)
【００４９】
非球面データ
0005467896.tif 000007
【００５０】
焦点距離
広角                      望遠
14.08                     39.96
【００５１】
ズーム作動のレンズ群間隔
広角                  望遠
D( 2)    7.031                20.720
D( 4)   25.682                11.992
D( 6)   14.922                14.925
D( 8)    1.538                1.536
D(10)   17.992                17.992
【００５２】
（第６実施形態）
第６実施形態のレンズデータ等は以下の通りである。
面番号       R           D         GLASS
1          81.0000     5.0000     GERMANIUM
2 ASPH    158.1946     D( 2)
3 ASPH   -557.5081     2.0000     GERMANIUM
4 ASPH     41.2942     D( 4)
5 STOP     23.2701     3.0000     GERMANIUM
6 ASPH     26.8660     D( 6)
7          49.0000     3.0000     GERMANIUM
8 ASPH    127.0103     D( 8)
9           0.0000     1.0000     GERMANIUM
10           0.0000     D(10)
【００５３】
非球面データ
0005467896.tif 000008
【００５４】
焦点距離
広角                        望遠
14.03                       55.98
【００５５】
ズーム作動のレンズ群間隔
広角                    望遠
D( 2)  12.081                  30.974
D( 4)  30.889                  11.996
D( 6)  15.605                  16.016
D( 8)   1.982                  1.571
D(10)  17.996                  17.996
【００５６】
（第７実施形態）
第７実施形態のレンズデータ等は以下の通りである。
面番号       R           D         GLASS
1          81.0000     5.0000     GERMANIUM
2 ASPH    161.1561     D( 2)
3        -110.0000     1.0000     GERMANIUM
4          81.7103     1.3150
5         -59.6537     1.0000     GERMANIUM
6         -97.6426     D( 6)
7 STOP     40.7897     3.0000     GERMANIUM
8 ASPH     63.2175     D( 8)
9          49.0000     3.0000     GERMANIUM
10 ASPH    141.9859     D(10)
11           0.0000     1.0000     GERMANIUM
12           0.0000     D(12)
【００５７】
非球面データ
0005467896.tif 000009
【００５８】
焦点距離
広角                      望遠
14.04                     39.96
【００５９】
ズーム作動のレンズ群間隔
広角                望遠
D( 2)   14.025              27.906
D( 6)   25.890              12.009
D( 8)   16.229              14.603
D(10)    1.563              3.189
D(12)   17.995              17.995
【００６０】
（第８実施形態）
第８実施形態のレンズデータ等は以下の通りである。
面番号       R           D         GLASS
1          81.0000     5.0000     GERMANIUM
2 ASPH    168.1718     D( 2)
3 ASPH   -120.5946     2.0000     GERMANIUM
4 ASPH     61.0847     D( 4)
5 STOP     33.6303     1.5000     GERMANIUM
6          74.7907     1.1002
7        -142.3941     1.5000     GERMANIUM
8         485.6580     D( 8)
9          49.0000     3.0000     GERMANIUM
10 ASPH    151.2012     D(10)
11           0.0000     1.0000     GERMANIUM
12           0.0000     D(12)
【００６１】
非球面データ
0005467896.tif 000010
【００６２】
焦点距離
広角                望遠
14.045              39.99
【００６３】
ズーム作動のレンズ群間隔
広角          望遠
D( 2)   11.004        25.738
D( 4)   29.092        14.358
D( 8)   16.3770       16.265
D(10)   1.5504        1.662
D(12)   17.993        17.993
【００６４】
各実施形態における条件式に係る値は、下記のとおりである。
条件式（１）      条件式（２）      条件式（３）
実施形態１          １．２５          −０．３４        ２．９０
実施形態２          １．４６ −０．５１        ２．０１
実施形態３          １．４２ −０．４０        ３．０８
実施形態４          １．５６          −０．５３        ３．５０
実施形態５          １．２５          −０．３３        ２．７７
実施形態６          １．３０          −０．２９        ２．４８
実施形態７          １．０８          −０．３１        ２．３５
実施形態８          ０．９４          −０．２３        ２．５４
【符号の説明】
【００６５】
１          第１レンズ
２          第２レンズ
３          第３レンズ
４          第４レンズ
【図１】
0005467896.tif 000011
【図２】
0005467896.tif 000012
【図３】
0005467896.tif 000013
【図４】
0005467896.tif 000014
【図５】
0005467896.tif 000015
【図６】
0005467896.tif 000016
【図７】
0005467896.tif 000017
【図８】
0005467896.tif 000018
【図９】
0005467896.tif 000019
【図１０】
0005467896.tif 000020
【図１１】
0005467896.tif 000021
【図１２】
0005467896.tif 000022
【図１３】
0005467896.tif 000023
【図１４】
0005467896.tif 000024
【図１５】
0005467896.tif 000025
【図１６】
0005467896.tif 000026
【図１７】
0005467896.tif 000027
【図１８】
0005467896.tif 000028
【図１９】
0005467896.tif 000029
【図２０】
0005467896.tif 000030
【図２１】
0005467896.tif 000031
【図２２】
0005467896.tif 000032
【図２３】
0005467896.tif 000033
【図２４】
0005467896.tif 000034